(57)【要約】本発明は、記録担体（１０４）からデータをゲイン−帯域幅制限光検出回路（４５）のゲイン値（２０００）の範囲を選択する方法に関する。その方法は、ａ）最大許容ゲイン値（ｇｍａｘ）を設定することにより第１読み出しパワーを求める段階であって、第１読み出しパワーは、第１速度において回転している記録担体からデータを読み出す最小読み出しパワー値である、段階と、ｂ）第１読み出しパワー値を増加させ、最大許容ゲイン値を減少させることにより、第２読み出しパワー及び第２ゲイン値を求める段階と、を有する。第２読み出しパワーは、データが第２速度において、回転している記録担体から読み出される最小読み出しパワー値である。その方法は、ゲイン値を最適化し、ゲイン値の最適値により最適な性能を得ることにおいて、全ての種類の光検出回路について有用である。
2009531801.tif 000002
【特許請求の範囲】
【請求項１】
記録担体からデータを読み出す光検出回路のゲイン値の範囲を選択する方法であって、前記光検出回路の動作は許容ゲイン−帯域幅積により制限され、前記記録担体は駆動装置により複数の許容速度で回転可能である、方法であり：
前記光検出回路の複数の許容ゲイン値から最大許容ゲイン値を設定することにより第１読み出しパワーを求める段階であって、前記第１読み出しパワーは、前記記録担体が前記駆動装置により許容される第１速度で回転している間に、データが前記記録担体から読み出される最小読み出しパワー値である、段階；並びに
前記駆動措置により複数の許容読み出しパワー値について前記第１読み出しパワー値を増加させ、前記複数の許容ゲイン値について前記最大許容ゲイン値を減少させることにより、第２読み出しパワー及び第２ゲイン値を求める段階であって、前記第２読み出しパワーは、前記記録担体が前記駆動装置により許容される第２速度で回転している間に、データが前記記録担体から読み出される最小読み出しパワー値である、段階；
を有する方法。
【請求項２】
請求項１に記載の方法であって、前記駆動装置により許容される前記第２速度は、前記駆動装置により許容される前記第１速度より高い、方法。
【請求項３】
請求項１又は２に記載の方法であって、前記第２読み出しパワー及び前記第２ゲイン値は、ｉ）前記光検出回路の前記許容ゲイン−帯域幅積と、ｉｉ）前記第２速度における前記記録担体についての最大許容読み出しパワーと、に基づいて求められる、方法。
【請求項４】
請求項１乃至３の何れか一項に記載の方法であって、前記方法は光記録担体において実行される、方法。
【請求項５】
記録担体からデータを読み出す光検出回路のゲイン値の範囲を選択するゲイン選択装置であって、前記光検出回路の動作は許容ゲイン−帯域幅積により制限され、前記記録担体は駆動装置により複数の許容速度で回転可能である、ゲイン選択装置であり：
前記光検出回路の複数の許容ゲイン値から最大許容ゲイン値を設定することにより第１読み出しパワーを求める第１読み出しパワーファインディング手段であって、前記第１読み出しパワーは、前記記録担体が前記駆動装置により許容される第１速度で回転している間に、データが前記記録担体から読み出される最小読み出しパワー値である、第１読み出しパワーファインディング手段；並びに
前記駆動措置により複数の許容読み出しパワー値について前記第１読み出しパワー値を増加させ、前記複数の許容ゲイン値について前記最大許容ゲイン値を減少させることにより、第２読み出しパワー及び第２ゲイン値を求める第２読み出しパワー−第２ゲイン値ファインディング手段であって、前記第２読み出しパワーは、前記記録担体が前記駆動装置により許容される第２速度で回転している間に、データが前記記録担体から読み出される最小読み出しパワー値である、第２読み出しパワー−第２ゲイン値ファインディング手段；
を有するゲイン選択装置。
【請求項６】
請求項５に記載のゲイン選択装置であって、前記駆動装置により許容される前記第２速度は、前記駆動装置により許容される前記第１速度より高い、ゲイン選択装置。
【請求項７】
請求項５又は６に記載のゲイン選択装置であって、前記第２読み出しパワー−第２ゲイン値ファインディング手段は、ｉ）前記光検出回路の前記許容ゲイン−帯域幅積と、ｉｉ）前記第２速度における前記記録担体についての最大許容読み出しパワーと、に基づいて、前記第２読み出しパワー及び前記第２ゲイン値を求めるための手段を更に有する、ゲイン選択装置。
【請求項８】
請求項５乃至７の何れか一項に記載のゲイン選択装置を有する光ピックアップユニット。
【請求項９】
請求項８に記載の光ピックアップユニットを有する駆動装置。
【請求項１０】
請求項９に記載の駆動装置であって、該駆動装置は光ドライブである、駆動装置。
【請求項１１】
プログラムがコンピュータにおいて実行されるとき、請求項１に記載の方法を実行するプログラムコード手段を有するコンピュータプログラム。
【発明の詳細な説明】
【技術分野】
【０００１】
本発明は、光ディスクドライブに関し、より具体的には、光学装置の光検出器回路に関する。
【背景技術】
【０００２】
特開平０６／０９６４４９号公報（Ｋａｎｅｋｏ  Ｓｈｉｎｊｉ等による）において、ディスクドライブで用いるために適する可変ゲインタイプの光検出器回路を動作させる方法について開示されている。その方法は、２つのゲイン値の間の切り替えを有し、それ故、データが、異なるディスク、即ち、異なる反射率値を有する読み出し専用メモリ（ＲＯＭ）ディスク及び追記型（ＷＯ）ディスクから読み出されることが可能である。それらの方法は、ディスクのタイプに基づいて、ゲイン値を選択する。上記の特許文献の方法は、各々のディスクのタイプ及びサブタイプが、それら自体のゲイン値、例えば、ＢＤ−Ｒ／ＲＥ  ＤＬ、ＢＤ−Ｒ／ＲＥ  ＳＬ、ＢＤ−ＲＯＭ  ＳＬ、ＢＤ−ＲＯＭ  ＤＬを有することが必要である。このことは、ゲイン値の範囲を増加させ、ゲイン選択回路を複雑に且つ高価にする。
【０００３】
光検出器回路において、ゲイン値の範囲を最適に保つ最大可能速度で、最悪の場合のディスク（信号レベルの点で）が読み出されることを可能にする方法を有することは有利である。光検出器回路におけるゲイン値の範囲を最適に保つ最大可能速度で、最悪の場合のディスクが読み出されることを可能にするゲイン選択装置を有することは有利である。光検出器回路におけるゲイン値の範囲を最適に保つ最大可能速度で、最悪の場合のディスクが読み出されることを可能にするコンピュータプログラムコード手段を有することは有利である。
【特許文献１】特開平０６／０９６４４９号公報
【発明の開示】
【課題を解決するための手段】
【０００４】
従って、記録担体からデータを読み出すゲイン−帯域幅限定光検出器回路のゲイン値の範囲を選択する方法について、以下、説明する。第１読み出しパワーが、光検出器回路の複数の許容ゲイン値から最大許容ゲイン値を設定することにより求められる。第１読み出しパワーは、記録担体が第１速度で回転している間に、データが記録担体から読み出し可能である最小読み出しパワー値である。第２読み出しパワー及び第２ゲイン値は、第１読み出しパワー値を増加させ、最大許容ゲイン値を減少させることにより求められる。第２読み出しパワーは、記録担体が第２速度で回転している間に、データが記録担体から読み出される最小読み出しパワー値である。その方法は、最低速度における最悪の場合に、記録担体を読み出すように光検出器回路により許容可能である最大ゲイン値を確保し、この記録担体について、より高い速度においてゲイン値を減少させることにより、ゲイン値を選択する。これを行うことにより、信号レベルの減少が、読み出しパワーの増加により補償される。
【０００５】
更に、読み出し担体からデータを読み出すために帯域幅限定光検出器回路のゲイン値の範囲を選択するゲイン選択装置について、以下、説明する。第１読み出しパワーを求める手段は、光検出器回路の複数の許容ゲイン値から最大許容ゲイン値を設定することにより、第１読み出しパワーを求める。第１読み出しパワーは、記録担体が第１速度で回転している間に、データが記録担体から読み出し可能である最小読み出しパワー値である。第２読み出しパワー−第２ゲイン値を求める手段は、第１読み出しパワー値を増加させて、最大許容ゲイン値を減少させることにより、第２読み出しパワー及び第２ゲイン値を求める。第２読み出しパワーは、記録担体が第２速度で回転している間における、データが記録担体から読み出し可能である最小読み出しパワー値である。
【０００６】
更に、記録担体からデータを読み出すゲイン帯域幅限定光検出器回路のゲイン値の範囲を選択するコンピュータプログラムコード手段について、以下、説明する。これは、コンピュータシステムがゲイン選択の動作を実行することを可能にするコンピュータプログラムコード手段が本発明の方法を実施することを可能にする点で、特に有利であるが、それに限定されるものではない。従って、一部の既知の光学装置は、前記光ドライブを制御するコンピュータシステムにおいてコンピュータプログラムコード手段をインストールすることにより、一部の既知の光学装置が、ここで述べる方法に従って動作するように変えられることが可能であることが考慮されている。そのようなコンピュータプログラムコード手段は、何れかの種類のコンピュータ読み出し可能媒体、例えば、磁気ベースの媒体又は光ベースの媒体に備えられていることが可能である。
【０００７】
本発明の上記の及び他の特徴、側面及び有利点については、添付図を参照して、例示として、以下の詳細説明において更に述べていて、添付図において、同様の参照番号は同様の又は類似する構成要素を示している。
【発明を実施するための最良の形態】
【０００８】
図１において、光ディスク１０４、典型的には、ブルーレイディスクから情報を読み出す駆動装置１００が示されている。ディスクドライブ１００は、光ビームにより光ディスク１０４のトラックを走査する光学系４０及び光ディスク１０４を回転させるモータ（図示せず）を有する。より具体的には、光学系４０は、光ビーム４２ａを発生させるように備えられている光ビーム発生手段４１、例えば、レーザダイオードのようなレーザを有する。光駆動回路４１ａは光ビーム発生手段４１を駆動する。光ビーム４２ａは、ビームスプリッタ４３及び対物レンズ４４を通る。対物レンズ４４は、光ディスク１０４におけるスポットＳＰ１に光ビーム４２ｂをフォーカシングする。光ビーム４２ｂは、光ディスク１０４から反射し、光検出器４５に達するように、対物レンズ４４及びビームスプリッタ４３を通る。光検出器４５は、複数の検出器セグメント、例えば、４つの検出器象限の各々に入射する光量のそれぞれを示す、個別の検出器信号Ａ、Ｂ、Ｃ、Ｄのそれぞれを供給することができる４つの検出器セグメント４５ａ、４５ｂ、４５ｃ、４５ｄを有する。光検出器４５の一実施例は、ＳＩＰＥＸ社製の１０チャネル光検出集積回路ＳＰ８０５９である。その回路は、４０５、６５０及び７８０ｎｍの波長において動作し、ブルーレイ読み出し／書き込み、ｘ１６ＤＶＤ読み出し／書き込み及びｘ４８ＣＤ読み出し／書き込みについて適切である。その１０チャネルは、４つの高速チャネル、４つの低速チャネル及び２つのＲＦチャネルを有する。
【０００９】
光ビーム４２ｄは、光検出器４５に入射し、電気信号に変換され、信号再生が実行される前に増幅される。光検出器４５は信号Ｓｇを出力する。信号Ｓｇは、光駆動回路４１ａに入り、光ビーム発生手段４１の出力光パワーを適合させる。光検出回路４５は増幅器を有する。光検出器４５の出力は、第１差動増幅器（図示せず）及び第２差動増幅器（図示せず）に供給される。第１差動増幅器の出力信号Ｓｓｅｒｖｏは、光学系４０のフォーカシングサーボ及びトラッキングサーボのために用いられる。第２差動増幅器の出力信号Ｓｒｅａｄは、光ディスク１０４に書き込まれている信号情報を読み出すように用いられる。異なる光学ディスクは異なる反射率を有し、ディスクからの反射光量は異なる種類のディスク間で変わる。光ディスクに記憶されているデータのロバストな読み出しを確実にするために、良好な品質を有する読み出し信号を発生させる必要がある。データリカバリは、入力読み出し信号が低い振幅を有する場合には、困難になる。光入力レベルにおけるこの差を適応させるように、光検出器４５は、それに応じて、増幅器のゲインを設定するゲイン設定手段を備えている。このことは、種々の速度で低反射率のディスク及び高反射率のディスクの読み出しについてゲインを適切に設定することを可能にし、それにより、各々のディスクについて好ましい読み出し信号を得ることを可能にする。ゲイン値は、１ｘ、２ｘ、３ｘ、４ｘ等として設定されることが可能である。このために、駆動装置１００は、ゲイン選択装置４５Ｈを有する。ゲイン選択装置４５Ｈは、設定されるゲイン値の最適値を選択する。ゲイン選択装置４５Ｈは、第１読み出しパワーファインディング手段及び第２読み出しパワー−第２ゲイン値ファインディング手段を有する。
【００１０】
光ディスクは、ＣＤ−ＤＡ、ＤＶＤ−ビデオ、ＤＶＤ−ＲＯＭ、ＤＶＤ＋ＲＷ、Ｂｌｕ−ｒａｙ  Ｒ／ＲＥ及びＢｌｕ−ｒａｙ  ＲＯＭ等、多くの種類（単層及び２層）で製造されている。ディスク駆動は、異なる速度でそれらの異なるディスクの種類をサポートしなければならない。光検出回路のゲイン−帯域幅積は読み出し速度を制限する。通常、帯域幅は、ディスクの種類（ＣＤ、ＤＶＤ、ＢＤ）毎に及び速度（１ｘ、２ｘ、．．．４ｘ等）毎に設定されるものである。ＣＤについては、帯域幅は、典型的には、１ｘの速度において１．５ＭＨｚであり、ＤＶＤについては、帯域幅は、典型的には、１ｘの速度において９ＭＨｚであり、そしてＢＤについては、帯域幅は、典型的には、１ｘの速度において２０ＭＨｚである。光検出回路は、ｉ）異なる種類の光ディスク、ｉｉ）異なる速度、ｉｉｉ）異なる反射率値、及びｉｖ）光検出回路のゲインと帯域幅との積の制限について満足する必要がある。それ故、光検出回路は、あるゲイン値の範囲を可能にする。光ディスクのより速い読み出し速度及び多様化は、低反射率のディスクを再生しているときに、光検出回路が小さい光信号を受け入れる状況をもたらしてきた。低ディスク反射率、光ピックアップユニット（ＯＰＵ）における低戻り効率及び低光検出回路効率は、光検出回路により生成される低電流レベルに繋がる。許容信号レベルを得るためには、光検出回路の出力において、より大きいゲインが必要とされる。このことは、読み出し信号の帯域幅を制限する。光検出回路においてかなり低い信号レベルを有する最も悪い場合のディスクは、大きいゲインを必要とすることが可能である。光ディスク１０２からデータを読み出すゲイン選択装置４５Ｈを用いて、光検出器４５のゲイン値の範囲を選択する方法について、図２を参照して、以下、説明する。
【００１１】
ステップ２０２において、データが読み出されるようになっている光ディスク１０４が認識される。光ディスクの種類を認識するように用いられることができる、従来型の光ディスク認識方法が利用可能である。光ディスクの種類は、例えば、ＢＤ−Ｒ／ＲＥ  ＳＬ、ＢＤ−Ｒ／ＲＥ  ＤＬ、ＢＤ／ＲＯＭ  ＳＬ、ＢＤ−ＲＯＭ  ＤＬ、ＣＤ−Ｒ、ＣＤ−ＲＷ、ＣＤ−ＲＯＭ、ＤＶＤ−ＲＯＭ、ＤＶＤ−ＲＡＭ、ＤＶＤ−Ｒ又はＤＶＤ−ＲＷの一である（しかし、それに限定されない）ことが可能である。駆動装置１００において挿入されるディスクの種類を認識することは重要である。近年、２つ又はそれ以上の異なる種類のディスクを動作させることができるディスクドライブが開発されてきている。そのような種類の駆動装置１００は、マルチタイプドライブと呼ばれている。マルチドライブタイプは、２つの（又は、それ以上の）異なる種類のディスクの何れかであるようにディスクを予測することが可能であるため、そのディスクドライブは、適切なフォーマットでディスクを動作させることができるように、新しいディスクが挿入されるときに、そのディスクの種類を確認する必要がある。ディスクの種類が認識された後、駆動装置１００は、そのディスクからデータを読み出すように、特定の波長を用いる適切なレーザ源を用いる。例としては、米国特許第６０６１３１８号明細書において、ディスクの種類を認識するように用いることができる、ディスクの厚さに基づいて、ディスクの種類を識別する方法について開示されている。ステップ２０４において、光検出器４５のゲイン−帯域幅積が得られる。ゲイン−帯域幅積は、一定値、例えば、１００である。ゲイン−帯域幅積は、最小許容ゲイン値ｇｍｉｎ、例えば、１ｘ、最大許容ゲイン値ｇｍａｘ、例えば、５ｘ、最小許容帯域幅、例えば、２０Ｈｚ及び最大許容帯域幅、例えば、１００ＭＨｚを与える。ステップ２０６において、駆動装置１００の速度は、光ディスク１０４を読み出すために光ドライブ１００により許容可能である第１速度に設定される。ゲイン値は、最大許容ゲイン値ｇｍａｘに設定され、帯域幅は、最小許容帯域幅に設定される。それらの設定により、ステップ２０８において、データは光ディスク１０４から読み出され、第１読み出しパワーが得られる。第１読み出しパワーは、光ディスク１０４が第１許容速度で回転している間、データが光ディスク１０４から読み出し可能である最小読み出しパワー値である。ステップ２１０において、駆動装置の速度は、光ディスク１０４を読み出すために許容可能である第２速度に設定される。ステップ２１２において、第２読み出しパワー及び第２ゲイン値が求められる。第２読み出しパワーは、最大ゲイン値ｇｍａｘを減少し、第１読み出しパワー値を増加させることにより求められる。第１読み出しパワー値は、最大許容読み出しパワー値Ｒｍａｘまで増加され、ここで、Ｒｍａｘは、最小許容ゲイン値ｇｍｉｎまで減少される。このことは、擬似コード表現により明確にされ、それは次のように与えられる。
（ｉ＝ｇｍａｘ；ｉ＜＝ｇｍｉｎ；ｉ−−）、及び
（ｊ＝ＦＲＰ；ｊ＜＝ｇｍａｘ；ｉ＋＋）について、
｛光ディスクからのデータが読み出されることが可能である場合、
第２ゲイン値＝ｉ
第２読み出しパワー＝ｊ；｝
有効な一実施形態においては、駆動装置１００により許容される第２速度は、駆動装置１００により許容される第１速度より高い。第１速度は最も低い速度、例えば、１ｘに設定され、第２速度は、最も高い速度、例えば、４ｘに設定される。これは、最悪の場合（信号レベルの点で）の光ディスク１０４についての最大速度が実現され、低反射率値を有する最悪のディスクが最大速度で読み出されることができるために、有利である。このことは、最悪のディスクが最大有効許容速度で読み出されることができることを確実にする。一般に、最高データ転送レートは、ディスクの最高回転速度において得られる。従って、その最高データ転送レートの適用は、常に、特定のディスク種類についての最高有効速度を目的とする。全てのディスクの種類について最高速度を可能にはしないため、その駆動装置は、最高転送レートで全てのサポートされる媒体をカバーするように、複数の速度をサポートしなければならない。
【００１２】
本発明の他の有効な実施形態においては、第２読み出しパワー及び第２ゲイン値が、ｉ）光検出回路の許容可能なゲインと帯域幅との積、及びｉｉ）光ディスク１０４についての最大許容読み出しパワーＲｍａｘに基づいて、求められる。このように、最大データ転送レートが、所定の光検出回路及び所定のディスク規格について、得られる。ディスク規格に依存する各々のディスクは、特定の読み出しパワーがディスクを読み出すために用いられることを可能にする。読み出しパワー値を上回る場合、ディスクを損傷した可能性がある。例えば、４ｘの速度におけるブルーレイディスクについての最大許容読み出しパワーは１．２ｍＷである。この読み出しパワーに制限することにより、ディスクに対する可能な損傷が克服される。更に、ゲイン−帯域幅積の考慮とゲイン値の選択により、ディスクドライブ１００が許容帯域幅の限界内で動作することが確実にされる。
【００１３】
表１は、ブルーレイディスク１０４からデータを読み出す光検出回路のゲイン値の範囲を選択する、提案している方法の有効な結果を概略的に示している。ブルーレイディスクを選択する理由は、ＣＤ及びＤＶＤについて、信号対ノイズ比はそれ程重要でなく、ノイズは高読み出し速度を禁じることである。モータ及び駆動損失のような機械的考慮は、得られる最大ディスク速度を制限する。ブルーレイディスクの場合には、一般に、ディスクの反射率がかなり小さく、更に、光経路の戻り効率及び検出効率は、ＣＤ及びＤＶＤの場合より、かなり小さいために、信号対ノイズ比は特に臨界状態にある。光検出回路４５の許容ゲイン−帯域幅積は８０ＭＨｚであると仮定する。１ｘの読み出しの速度のために必要な帯域幅は２０ＭＨｚであると仮定する。ここでは、４つの種類のブルーレイディスク、即ち、ａ）ＢＤ−Ｒ／ＲＥ  ＤＬ−読み出し、再書き込み可能２層、ｂ）ＢＤ−Ｒ／ＲＥ  ＳＬ−読み出し、再書き込み可能信号層、ｃ）ＢＤ−ＲＯＭ  ＤＬ−読み出し専用メモリ２層、ｄ）ＢＤ−ＲＯＭ  ＳＬ−読み出し専用メモリ単層について考慮される。例示として考慮される実施例においては、ＢＤ駆動により許容される最低速度は２ｘであり、ＢＤにより許容される最高速度は４ｘである。
【００１４】
表１から、ディスクＢＤ−Ｒ／ＲＥ  ＤＬは最悪の場合のディスクであることが理解できる。これは、最小の光検出信号、即ち、（０．６ｘ５）／１００＝０．０３が得られるために、最悪の場合のディスクである。このディスク、ＢＤ−Ｒ  ＲＥ／ＤＬについては、２ｘの速度（最低速度）において、ゲイン値は、最大ゲイン値ｇｍａｘ、即ち、２ｘに設定され、そのことは、帯域幅を４０ＭＨｚに制限する。このディスクの読み出しパワーは、ブルーレイディスクの規格により、０．６ｍＷに制限される。４ｘの速度において、（最高速度の）読み出しパワーは、４ｘの規格により許容される最大読み出しパワー値まで増加され、ゲインは、それに伴って、２分の１に減少される。このことは、必要な帯域幅、８０ＭＨｚを生成する。表１から、他の種類のディスクは臨界状態にはなく、即ち、許容されるＰｒｅａｄとディスクの反射率との積は、ＢＤ−Ｒ／ＲＥ  ＤＬの場合に比べて大きい、即ち、０．０６である。それらのディスクの読み出しパワーは、１ｘのゲインにおける信号レベルが、４ｘの速度におけるＢＤ−Ｒ  ＲＥ／ＤＬの場合と同様であるように、選択される。例えば、ディスクＢＤ−Ｒ／ＲＥ  ＳＬの場合、２ｘの速度において、読み出しパワーは、次式のように選択され、
【００１５】
【数１】
2009531801.tif 000003
同じ方針で、他のディスクについての読み出しパワー、即ち、０．４、０．４、０．４、０．１５及び０．１５が選択される。このことは、全てのＢＤディスクが、２つのゲイン値、即ち、１ｘ及び２ｘを用いて、１ｘ．．．４ｘにおいて読み出されることを可能にする。更に、それらの２つのゲイン値により、光検出回路のゲイン−帯域幅積における限界を越えない限り、適切な読み出しパワーを用いることにより、それらの２つのゲイン値による最悪の場合のディスクでない他のディスク全てを適合させることが可能である。これにより、本発明が、読み出しパワー値を適切に選択することにより、２つのゲイン値を用いて、より多くの光ディスクが読み出されることを可能にすることは、明らかである。これは、本発明を実施する一方法である。表１は、ＢＤディスクからデータを読み出す光検出回路のゲイン値の範囲を選択する方法についての実施例、及びＢＤ−Ｒ  ＲＥ  ＤＬが最悪の場合のディスクである可能な結果の単なる例示である。常にこのようになる必要はない。ディスクの反射率Ｐｒｅａｄ及び他の因子に基づいて、結果が変わることに留意する必要がある。
【００１６】
基本的には、ディスクについての最大有効速度が、光検出回路のゲイン−帯域幅積と、光検出回路におけるゲイン値の数を最小化しながら、ディスクの規格に従う許容読み出しパワーと、を考慮して、実現されるように、読み出しパワー及びゲインは選択される。
【００１７】
【表１】
2009531801.tif 000004
本発明については、光ディスクを用いる実施形態により説明しているが、本発明はまた、回転する記録担体からデータを読み出す光検出回路及び光源を用いる、矩形のカードのような他の記録担体又は何れかの他の種類の情報担体について適応するものである。当業者は、ソフトウェアにおいて又はハードウェア及びソフトウェアの両方において、光検出回路のゲイン値の範囲を選択する方法についての上記の実施形態を実施することができる。しかしながら、同時提出の特許請求の範囲に記載しているように、本発明の広汎な範囲から逸脱することなく、種々の修正及び変形を行うことが可能であることは明らかである。用語“を有する”は、請求項及び明細書に記載している要素以外の要素の存在を排除するものではない。要素又はステップの単数表現は、その要素又はステップの複数の存在を排除するものではない。図及び明細書は、単なる例示目的であるとみなされ、本発明を限定するものではない。
【００１８】
要約すると、記録担体からデータを読み出すゲイン帯域幅限定光検出回路のゲイン値の範囲を選択する方法について、上で詳述している。記録担体は、駆動装置により複数の許容速度で回転可能である。その方法は、
光検出回路の複数の許容ゲイン値から最大許容ゲイン値（ｇｍａｘ）を設定することにより、第１読み出しパワー（ＦＲＰ）を求める段階であって、第１読み出しパワー（ＦＲＰ）は、記録担体が駆動装置により許容される第１速度で回転している間に、データが記録担体から読み出し可能である最小読み出しパワー値である、段階；並びに
駆動装置により複数の許容読み出しパワー値について第１読み出しパワー（ＦＲＰ）値を増加させ、複数の許容ゲイン値について最大許容値（ｇｍａｘ）を減少させることにより、第２読み出しパワー（ＳＲＰ）及び第２ゲイン値を求める段階であって、第２読み出しパワー（ＳＲＰ）は、記録担体が駆動装置により許容される第２速度で回転している間に、データが記録担体から読み出し可能である最小読み出しパワー値である、段階；
を有する。
【００１９】
その方法は、ゲイン値を最適化し、ゲイン値の最適な値により最適な性能を得る全ての種類の光検出回路において有用である。
【図面の簡単な説明】
【００２０】
【図１】光ディスクドライブの模式図である。
【図２】光検出回路のゲイン値の範囲を選択する方法のステップを示すフロー図である。
【図１】
2009531801.tif 000005
【図２】
2009531801.tif 000006
【国際調査報告】
2009531801.tif 000007
2009531801.tif 000008